(57)【要約】【課題】回転子において、永久磁石を適切に保持する。【解決手段】回転子（30）の磁極（34）は、回転子周方向に並んで２つ以上の貫通孔（32）が形成された回転子コア（31）と、貫通孔（32）ごとに挿入された永久磁石（35）とで構成される。貫通孔（32）の回転子外周側の内面と回転子（30）の外周面との間の回転子コアの回転子径方向の長さは、永久磁石（35）の回転子径方向の長さよりも短い。永久磁石（35）の磁束が流れる磁気回路において、永久磁石（35）よりも回転子外周側の磁気抵抗は、永久磁石（35）よりも回転子内周側の磁気抵抗よりも小さい。【選択図】図２
2020167924.tif 000002
【特許請求の範囲】
【請求項１】
固定子（20）と、複数の磁極（34）を有する回転子（30）とを備えた電動機（10）であって、
上記回転子（30）の上記磁極（34）は、回転子周方向に並んで２つ以上の貫通孔（32）が形成された回転子コア（31）と、上記貫通孔（32）ごとに挿入された永久磁石（35）とで構成され、
上記貫通孔（32）の回転子外周側の内面と上記回転子（30）の外周面との間の上記回転子コア（31）の回転子径方向の長さは、上記永久磁石（35）の回転子径方向の長さよりも短く、
上記永久磁石（35）の磁束が流れる磁気回路において、上記永久磁石（35）よりも回転子外周側の磁気抵抗は、上記永久磁石（35）よりも回転子内周側の磁気抵抗よりも小さいことを特徴とする電動機。
【請求項２】
請求項１において、
上記永久磁石（35）および上記貫通孔（32）の形状は、回転子軸方向から見て、上記永久磁石（35）の外面と上記貫通孔（32）の内面との間の隙間（G）の回転子径方向の平均寸法が、回転子内周側よりも回転子外周側で小さくなるように上記永久磁石（35）の回転子径方向の位置を規制する形状になっている
ことを特徴とする電動機。
【請求項３】
請求項２において、
上記貫通孔（32）の回転子内周側の内面は、上記永久磁石（35）の外面に沿って形成された近接部（32a）と、該近接部（32a）よりも上記永久磁石（35）の外面から離れた離間部（32b）とを含む
ことを特徴とする電動機。
【請求項４】
請求項３において、
上記離間部（32b）は、上記貫通孔（32）の回転子周方向の端部のみにある
ことを特徴とする電動機。
【請求項５】
請求項４において、
上記貫通孔（32）を有する上記磁極（34）は、少なくとも２つの上記貫通孔（32）を有し、
上記離間部（32b）は、極性の異なる上記磁極（34）に最も近い上記貫通孔（32）において、該貫通孔（32）における該磁極（34）側の回転子周方向の端部のみにある
ことを特徴とする電動機。
【請求項６】
請求項３において、
上記離間部（32b）は、上記貫通孔（32）の回転子周方向の中央部のみにある
ことを特徴とする電動機。
【請求項７】
請求項３〜６のいずれか１項において、
上記貫通孔（32）を有する上記磁極（34）は、少なくとも３つの上記貫通孔（32）を有し、
上記離間部（32b）は、極性の異なる上記磁極（34）に最も近い上記貫通孔（32）のみ
が含む
ことを特徴とする電動機。
【請求項８】
請求項１〜７のいずれか１項において、
上記回転子コア（31）は、回転子周方向に隣り合う上記貫通孔（32）の間に形成され、一定幅で回転子径方向に延びる部分である定幅部（39a）を含むリブ（39）を有し、
上記永久磁石（35）の回転子周方向の一端または両端の外面は、上記リブ（39）の定幅部（39a）に沿って延びている
ことを特徴とする電動機。
【請求項９】
請求項１において、
回転子軸方向から見て、上記永久磁石（35）の外面と上記貫通孔（32）の内面との間に隙間（G）が形成され、
上記隙間（G）に冷媒を供給する冷媒流路（300）を備えている
ことを特徴とする電動機。
【請求項１０】
請求項９において、
上記回転子（30）の径方向内側に固定される軸部（15）をさらに備え、
上記冷媒流路（300）は、上記軸部（15）の内部に形成される軸内流路（301）を含む、
ことを特徴とする電動機。
【発明の詳細な説明】
【技術分野】
【０００１】
本開示は、電動機に関するものである。
【背景技術】
【０００２】
従来より、穴部を有する回転子コアと、穴部に挿入される永久磁石とを備えた回転子が知られている（例えば、特許文献１）。同文献の回転子では、穴部の壁面と永久磁石との間の隙間に注入される樹脂により永久磁石が保持される。
【先行技術文献】
【特許文献】
【０００３】
【特許文献１】特開２００６−２３８５８４号公報
【発明の概要】
【発明が解決しようとする課題】
【０００４】
しかしながら、特許文献１の回転子では、例えば、樹脂に応力がかかってクリープが生じたり、あるいは当該樹脂が疲労破壊したりすると、永久磁石が適切に保持されなくなるおそれがある。
【０００５】
本開示の目的は、回転子において、永久磁石を適切に保持することにある。
【課題を解決するための手段】
【０００６】
本開示の第１の態様は、固定子（20）と、複数の磁極（34）を有する回転子（30）とを備えた電動機（10）を対象とする。上記回転子（30）の上記磁極（34）は、回転子周方向に並んで２つ以上の貫通孔（32）が形成された回転子コア（31）と、上記貫通孔（32）ごとに挿入された永久磁石（35）とで構成される。上記貫通孔（32）の回転子外周側の内面と上記回転子（30）の外周面との間の上記回転子コア（31）の回転子径方向の長さは、上記永久磁石（35）の回転子径方向の長さよりも短い。上記永久磁石（35）の磁束が流れる磁気回路において、上記永久磁石（35）よりも回転子外周側の磁気抵抗は、上記永久磁石（35）よりも回転子内周側の磁気抵抗よりも小さい。
【０００７】
第１の態様では、磁気力と遠心力の両方が、永久磁石（35）を貫通孔の回転子外周側の内面に位置させるように働く。このため、電動機（10）の駆動中に永久磁石（35）が貫通孔（32）内で移動しにくい。したがって、回転子（30）において、永久磁石（35）を適切に保持することができる。
【０００８】
本開示の第２の態様は、上記第１の態様において、上記永久磁石（35）および上記貫通孔（32）の形状は、回転子軸方向から見て、上記永久磁石（35）の外面と上記貫通孔（32）の内面との間の隙間（G）の回転子径方向の平均寸法が、回転子内周側よりも回転子外周側で小さくなるように上記永久磁石（35）の回転子径方向の位置を規制する形状になっていることを特徴とする。
【０００９】
第２の態様では、永久磁石（35）の回転子径方向の位置が上述のように規制されることにより、上記第１の態様における磁気抵抗の所定の大小関係が実現される。
【００１０】
本開示の第３の態様は、上記第２の態様において、上記貫通孔（32）の回転子内周側の内面は、上記永久磁石（35）の外面に沿って形成された近接部（32a）と、該近接部（32a）よりも上記永久磁石（35）の外面から離れた離間部（32b）とを含むことを特徴とする。
【００１１】
第３の態様では、近接部（32a）によって、永久磁石（35）の回転子径方向の位置が規制される。離間部（32b）に対応する隙間（G）は、近接部（32a）に対応する隙間（G）よりも大きい。このため、離間部（32b）によって、永久磁石（35）の回転子内周側の磁気抵抗が大きくなる。
【００１２】
本開示の第４の態様は、上記第３の態様において、上記離間部（32b）は、上記貫通孔（32）の回転子周方向の端部のみにあることを特徴とする。
【００１３】
第４の態様では、貫通孔（32）の回転子周方向の端部において、永久磁石（35）と回転子コア（31）との間の距離が大きくなる。永久磁石（35）の回転子内周側の角部の曲率半径を小さくすることができ、電動機（10）のトルクを向上することができる。
【００１４】
本開示の第５の態様は、上記第４の態様において、上記貫通孔（32）を有する上記磁極（34）は、少なくとも２つの上記貫通孔（32）を有し、上記離間部（32b）は、極性の異なる上記磁極（34）に最も近い上記貫通孔（32）において、該貫通孔（32）における該磁極（34）側の回転子周方向の端部のみにあることを特徴とする。
【００１５】
第５の態様では、永久磁石（35）が貫通孔（32）の回転子内周側の内面に吸いつく傾向の高い箇所に選択的に離間部（32b）が設けられる。したがって、回転子（30）における磁気抵抗の増大を抑えることができる。
【００１６】
本開示の第６の態様は、上記第３の態様において、上記離間部（32b）は、上記貫通孔（32）の回転子周方向の中央部のみにあることを特徴とする。
【００１７】
第６の態様では、リブ（39）の回転子径方向の長さを短くできるため、電動機（10）の駆動時に生じる遠心力に対する耐力を高めることができる。
【００１８】
本開示の第７の態様は、上記第３〜第６の態様のいずれか１つにおいて、上記貫通孔（32）を有する上記磁極（34）は、少なくとも３つの上記貫通孔（32）を有し、上記離間部（32b）は、極性の異なる上記磁極（34）に最も近い上記貫通孔（32）のみが含むことを特徴とする。
【００１９】
第７の態様では、永久磁石（35）が貫通孔（32）の回転子内周側の内面に吸いつく傾向の高い箇所のみに離間部（32b）が設けられる。したがって、回転子（30）における磁気抵抗の増大を抑えることができる。
【００２０】
本開示の第８の態様は、上記第１〜第７の態様のいずれか１つにおいて、上記回転子コア（31）は、回転子周方向に隣り合う上記貫通孔（32）の間に形成され、一定幅で回転子径方向に延びる部分である定幅部（39a）を含むリブ（39）を有し、上記永久磁石（35）の回転子周方向の一端または両端の外面は、上記リブ（39）の定幅部（39a）に沿って延びていることを特徴とする。
【００２１】
第８の態様では、回転子周方向の広い範囲にわたって永久磁石（35）の回転子径方向の寸法が大きくなる。このため、永久磁石（35）の磁束を増やして電動機（10）のトルクを向上することができる。
【００２２】
本開示の第９の態様は、第１の態様において、回転子軸方向から見て、上記永久磁石（35）の外面と上記貫通孔（32）の内面との間に隙間（G）が形成され、上記隙間（G）に冷媒を供給する冷媒流路（300）を備えていることを特徴とする。
【００２３】
一般的に、この種の電動機（10）では、渦電流により回転子（30）が発熱し易い。この熱は、永久磁石（35）に伝導されることにより、永久磁石（35）が減磁してしまう虞がある。第９の態様によれば、回転子コアの熱抵抗の影響や、回転子コアと永久磁石（35）の間の接触熱抵抗の影響を小さく抑えつつ、永久磁石（35）を冷媒により効率的に冷却することができる。言い換えれば、冷媒が永久磁石（35）に直接的に接することにより該永久磁石（35）を冷却することができるため、冷媒が回転子コア等を介して間接的に永久磁石を冷却する場合と比較して、効率的な冷却が実現する。
【００２４】
本開示の第１０の態様は、第９の態様において、上記回転子（30）の径方向内側に固定される軸部（15）をさらに備え、上記冷媒流路（300）は、上記軸部（15）の内部に形成される軸内流路（第１流路）（301）を含むことを特徴とする。
【００２５】
第１０の態様では、部品点数を減らすことができる。
【図面の簡単な説明】
【００２６】
【図１】図１は、実施形態１の電動機の正面図である。
【図２】図２は、実施形態１の回転子の正面図である。
【図３】図３は、実施形態２の回転子の正面図である。
【図４】図４は、実施形態３の回転子の正面図である。
【図５】図５は、実施形態４の回転子の正面図である。
【図６】図６は、実施形態５の電動機を備える遠心型圧縮機の縦断面図である。
【図７】図７は、実施形態５の遠心型圧縮機を搭載する冷凍装置の概要図である。
【発明を実施するための形態】
【００２７】
《実施形態１》
実施形態１について説明する。本実施形態の電動機（10）は、ベアリングレスモータである。以下の説明では、回転子（30）の軸心（O）に近い側を「内周側」または「回転子内周側」とし、回転子（30）の軸心（O）から遠い側を「外周側」または「回転子外周側」とする。また、回転子（30）の軸心（O）の方向を「軸方向」または「回転子軸方向」とし、回転子（30）の軸心（O）に直交する方向を「径方向」または「回転子径方向」とする。また、回転子（30）の軸心（O）を基準とした周方向を「周方向」または「回転子周方向」とする。
【００２８】
図１および図２に示すように、電動機（10）は、固定子（20）と、回転子（30）とを備える。
【００２９】
固定子（20）は、固定子コア（21）と、駆動用コイルおよび支持用コイル（図示せず）とを備える。
【００３０】
固定子コア（21）は、磁性材料で構成された筒状の部材である。固定子コア（21）は、外周側に配置された実質的に円筒状のバックヨーク部（22）と、バックヨーク部（22）の内周面から内径方向に突出する複数のティース部（23）とを有する。
【００３１】
駆動用コイルは、回転子（30）を回転駆動するための駆動電流が流れるコイルである。駆動用コイルは、各ティース部（23）に分布巻方式で巻回されている。なお、駆動用コイルは、各ティース部（23）に集中巻方式で巻回されていてもよい。
【００３２】
支持用コイルは、回転子（30）を非接触で支持するための支持電流が流れるコイルである。支持用コイルは、各ティース部（23）に分布巻方式で巻回されている。なお、支持用コイルは、各ティース部（23）に集中巻方式で巻回されていてもよい。
【００３３】
回転子（30）は、ＢＰＭ（Buried Permanent Magnet）型の回転子である。回転子（30）は、固定子（20）の径方向内側に、当該固定子（20）とエアギャップを隔てて対向するように配置される。回転子（30）は、回転子コア（31）と、永久磁石（35）とを有する。
【００３４】
回転子コア（31）は、磁性材料で構成された筒状の部材である。回転子コア（31）は、外周面の近傍に複数（この例では、１２個）の貫通孔（32）が形成されている。複数の貫通孔（32）は、回転子周方向に実質的に等間隔に並んで形成されている。複数の貫通孔（32）は、回転子コア（31）を回転子軸方向に貫通している。回転子コア（31）の中心には、シャフト（図示せず）を挿通するためのシャフト孔（33）が形成されている。
【００３５】
回転子コア（31）は、回転子周方向に隣り合う貫通孔（32）の間に形成されたリブ（39）を有する。リブ（39）は、回転子軸方向から見て、回転子径方向に延びる細長い形状になっている。リブ（39）は、一定幅で回転子径方向に延びる部分である定幅部（39a）を含む。
【００３６】
永久磁石（35）は、希土類を含有する焼結磁石であるが、これに限られない。永久磁石（35）は、回転子コア（31）の貫通孔（32）ごとに挿入されている。この例では、回転子周方向に隣り合って並んだ３つの永久磁石（35）と、当該永久磁石（35）の周囲の回転子コア（31）とによって１つの磁極（34）が構成される。このため、この例では、回転子（30）は、４つの磁極（34）を備える。この例では、図２において、右上の３つの永久磁石（35）および左下の３つの永久磁石が、それぞれＮ極の磁極を構成し、右下の３つの永久磁石（35）および左上の３つの永久磁石が、それぞれＳ極の磁極を構成する。複数の永久磁石（35）の形状は、互いに略同じであることが好ましい。なお、１つの磁極（34）に対応する貫通孔（32）と永久磁石（35）の数は、２つ以下であってもよいし、４つ以上であってもよい。
【００３７】
図２に示すように、永久磁石（35）は、回転子軸方向から見て、やや扁平な台形状に形成されている。永久磁石（35）の回転子外周側の外面は、回転子周方向に沿って延びる直線状の第１磁石面（36）になっている。永久磁石（35）の回転子内周側の外面は、第１磁石面（36）と平行に延びる直線状の第２磁石面（37）になっている。永久磁石（35）における回転子周方向の両端の外面は、リブ（39）の定幅部（39a）に沿って延びる直線状の第３磁石面（38）になっている。なお、２つの第３磁石面（38）は、一方のみが定幅部（39a）に沿って延びていてもよいし、両方が定幅部（39a）に沿って延びていなくてもよい。
【００３８】
第１磁石面（36）の回転子周方向の長さは、第２磁石面（37）の回転子周方向の長さよりも長い。永久磁石（35）の回転子径方向の長さ（換言すると、第１磁石面（36）と第２磁石面（37）との間の距離）は、貫通孔（32）の回転子外周側の内面と回転子（30）の外周面との間の回転子コア（31）の回転子径方向の長さ（換言すると、永久磁石（35）の第１磁石面（36）と回転子（30）の外周面との間の距離）よりも長い。第１磁石面（36）と第３磁石面（38）との間の角部は、丸みを帯びた形状になっている。第２磁石面（37）と第３磁石面との間の角部は、丸みを帯びた形状になっている。
【００３９】
各磁極（34）における回転子周方向の両端にある貫通孔（32）の内面は、近接部（32a）と、離間部（32b）と、移行部（32c）とを含む。換言すると、極性の異なる磁極（34）に最も近い貫通孔（32）の内面は、近接部（32a）と、離間部（32b）と、移行部（32c）とを含む。本実施形態では、各磁極（34）における回転子周方向の中間部にある貫通孔（32）の内面は、離間部（32b）および移行部（32c）を含まない。
【００４０】
近接部（32a）は、永久磁石（35）の第２磁石面（37）に沿って形成された直線状の部分である。近接部（32a）は、永久磁石（35）の第２磁石面（37）と平行に延びている。近接部（32a）は、貫通孔（32）の回転子内周側の内面における回転子周方向の中央部に形成されている。
【００４１】
離間部（32b）は、近接部（32a）よりも永久磁石（35）の第２磁石面（37）から離れた部分である。離間部（32b）は、回転子径方向の内側に向かって窪んだ凹部で構成されている。離間部（32b）は、貫通孔（32）の回転子内周側の内面における回転子周方向の端部に形成されている。より具体的に、離間部（32b）は、極性の異なる磁極（34）に最も近い貫通孔（32）において、当該極性の異なる磁極（34）側の回転子周方向の端部のみに形成されている。
【００４２】
移行部（32c）は、近接部（32a）と離間部（32b）との間に形成されている。移行部（32c）は、近接部（32a）と離間部（32b）とを接続するように、永久磁石（35）の第２磁石面（37）に対して傾斜して延びる部分である。
【００４３】
近接部（32a）および離間部（32b）が形成された貫通孔（32）において、回転子軸方向から見て、永久磁石（35）は、第２磁石面（37）が近接部（32a）と当接する位置よりも回転子内周側に移動できない。そして、永久磁石（35）の第１磁石面（36）の形状と、貫通孔（32）の回転子外周側の内面の形状とは、それぞれ回転子周方向に沿って延びる直線状であって、互いに略同じである。一方、永久磁石（35）の第２磁石面（37）の形状と、貫通孔（32）の回転子内周側の内面の形状とは、前者が直線状であるのに対して後者が波形状であり、互いに異なる。
【００４４】
永久磁石（35）の外面と貫通孔（32）の内面との間の隙間（G）は、離間部（32b）の領域において、近接部（32a）の領域を含む他領域よりも著しく大きい。このため、近接部（32a）および離間部（32b）が形成された貫通孔（32）では、回転子軸方向から見て、永久磁石（35）の第２磁石面（37）と貫通孔（32）の回転子内周側の内面との間の隙間（G）の回転子径方向の平均寸法が、当該永久磁石（35）の第１磁石面（36）と貫通孔（32）の回転子外周側の内面との間の隙間（G）の回転子径方向の平均寸法よりも大きい。
【００４５】
ここで、隙間（G）の「回転子径方向の平均寸法」とは、例えば、近接部（32a）および離間部（32b）の回転子周方向の長さをそれぞれＬ１，Ｌ２とし、かつ近接部（32a）および離間部（32b）における隙間（G）の回転子径方向の寸法をそれぞれＧ１，Ｇ２で一定であると見なした場合に、（Ｇ１×Ｌ１＋Ｇ２×Ｌ２）／（Ｌ１＋Ｌ２）で表される値である。
【００４６】
永久磁石（35）の外面と貫通孔（32）の内面との間の隙間（G）の回転子径方向の平均寸法が小さいほど、当該隙間（G）における磁気抵抗も小さくなる。したがって、回転子（30）において、永久磁石（35）の磁束が流れる磁気回路において、永久磁石（35）よりも回転子外周側の磁気抵抗は、永久磁石（35）よりも回転子内周側の磁気抵抗よりも小さい。ここで、当該磁気回路は、例えば、Ｎ極の磁極を構成する永久磁石（35）が生じる磁束が、回転子コア（31）における永久磁石（35）よりも回転子外周側の部分と、Ｓ極の磁極を構成する永久磁石（35）と、当該Ｓ極の磁極を構成する永久磁石（35）に対応する離間部（32b）と、回転子コア（31）における永久磁石（35）よりも径方向内側の部分と、当該Ｎ極の磁極を構成する永久磁石（35）に対応する離間部（32b）とを通る磁気回路であってもよい。
【００４７】
−実施形態１の効果−
本実施形態の電動機（10）は、固定子（20）と、複数の磁極（34）を有する回転子（30）とを備え、上記回転子（30）の上記磁極（34）は、回転子周方向に並んで２つ以上の貫通孔（32）が形成された回転子コア（31）と、上記貫通孔（32）ごとに挿入された永久磁石（35）とで構成され、上記貫通孔（32）の回転子外周側の内面と上記回転子（30）の外周面との間の上記回転子コア（31）の回転子径方向の長さは、上記永久磁石（35）の回転子径方向の長さよりも短く、上記永久磁石（35）の磁束が流れる磁気回路において、上記永久磁石（35）よりも回転子外周側の磁気抵抗は、上記永久磁石（35）よりも回転子内周側の磁気抵抗よりも小さい。このように、回転子（30）内の永久磁石（35）の磁束が流れる磁気回路において、永久磁石（35）の回転子外周側と回転子内周側とで磁気抵抗の所定の大小関係が存在する。そのような磁気抵抗の大小関係に応じて、永久磁石（35）は、磁気力によって貫通孔（32）の回転子外周側の内面に吸いつく。電動機（10）が駆動されるときに永久磁石（35）に作用する遠心力も、当該永久磁石（35）を貫通孔（32）の回転子外周側の内面に押し付けるように働く。このように、磁気力と遠心力の両方が永久磁石（35）を貫通孔の回転子外周側の内面に位置させるように働くため、電動機（10）の駆動中に永久磁石（35）が貫通孔（32）内で移動しにくい。したがって、回転子（30）において、永久磁石（35）を適切に保持することができるし、永久磁石（35）が貫通孔（32）の内面に衝突して損傷するのを抑止できる。
【００４８】
また、本実施形態の電動機（10）は、上記永久磁石（35）および上記貫通孔（32）の形状が、回転子軸方向から見て、上記貫通孔（32）内における上記永久磁石（35）の位置によらず、上記永久磁石（35）の外面と上記貫通孔（32）の内面との間の隙間（G）の回転子径方向の平均寸法が回転子内周側よりも回転子外周側で小さくなるように、上記永久磁石（35）の回転子径方向の位置を近接部（32a）により規制する形状になっている。したがって、貫通孔（32）内で永久磁石（35）を配置可能な任意の位置において、永久磁石（35）の回転子径方向の位置が上述のように規制されることにより、上述の磁気抵抗の所定の大小関係が実現される。具体的には、永久磁石（35）の外面と貫通孔（32）の内面との間の隙間（G）の回転子径方向の平均寸法が小さいほど、当該隙間（G）における磁気抵抗も小さくなる。本実施形態では、そのような隙間（G）の回転子径方向の平均寸法が、永久磁石（35）の回転子内周側よりも回転子外周側で小さくなるので、永久磁石（35）の回転子外周側の磁気抵抗が、永久磁石（35）の回転子内周側の磁気抵抗よりも小さくなる。
【００４９】
また、本実施形態の電動機（10）は、上記貫通孔（32）の回転子内周側の内面が、上記永久磁石（35）の外面に沿って形成された近接部（32a）と、該近接部（32a）よりも上記永久磁石（35）の外面から離れた離間部（32b）とを含む。したがって、近接部（32a）によって、永久磁石（35）の回転子径方向の位置が規制される。離間部（32b）に対応する隙間（G）は、近接部（32a）に対応する隙間（G）よりも大きい。このため、離間部（32b）によって、永久磁石（35）の回転子内周側の磁気抵抗が大きくなる。
【００５０】
また、本実施形態の電動機（10）は、上記離間部（32b）が、上記貫通孔（32）の回転子周方向の端部のみにある。したがって、貫通孔（32）の回転子周方向の端部において、永久磁石（35）と回転子コア（31）との間の距離が大きくなる。永久磁石（35）の回転子内周側の角部の曲率半径を小さくすることができ、よって電動機（10）のトルクを向上することができるし、永久磁石（35）の減磁耐力を高めることもできる。さらに、リブ（39）の回転子内周側の付け根周辺部を流れる磁束が減少し、当該領域での磁気飽和が緩和されるので、磁束がリブ（39）を流れやすくなる。このため、電動機（10）のリラクタンストルクおよび支持力を向上することができる。
【００５１】
また、本実施形態の電動機（10）は、上記貫通孔（32）を有する上記磁極（34）が、３つの上記貫通孔（32）を有し、上記離間部（32b）が、極性の異なる上記磁極（34）に最も近い上記貫通孔（32）において、該貫通孔（32）における該磁極（34）側の回転子周方向の端部のみにある。換言すると、異なる極性の永久磁石（35）同士が引き付け合うことにより貫通孔（32）の回転子内周側の内面に吸いつく傾向の高い箇所に選択的に離間部（32b）が設けられる。したがって、回転子（30）において、永久磁石（35）を適切に保持するという効果を実現しつつ磁気抵抗の増大を抑えることができる。
【００５２】
また、本実施形態の電動機（10）は、上記貫通孔（32）を有する上記磁極（34）が、３つの上記貫通孔（32）を有し、上記離間部（32b）を、極性の異なる上記磁極（34）に最も近い上記貫通孔（32）のみが含む。換言すると、異なる極性の永久磁石（35）同士が引き付け合うことにより貫通孔（32）の回転子内周側の内面に吸いつく傾向の高い箇所のみに離間部（32b）が設けられる。したがって、回転子（30）において、永久磁石（35）を適切に保持するという効果を実現しつつ磁気抵抗の増大を抑えることができる。
【００５３】
また、本実施形態の電動機（10）は、上記回転子コア（31）が、回転子周方向に隣り合う上記貫通孔（32）の間に形成され、一定幅で回転子径方向に延びる部分である定幅部（39a）を含むリブ（39）を有し、上記永久磁石（35）の回転子周方向の一端または両端の外面が、上記リブ（39）の定幅部（39a）に沿って延びている。したがって、回転子周方向の広い範囲にわたって永久磁石（35）の回転子径方向の寸法が大きくなる。このため、永久磁石（35）の磁束を増やして電動機（10）の支持力およびトルクを向上することができる。
【００５４】
《実施形態２》
実施形態２について説明する。本実施形態の電動機（10）は、貫通孔（32）の構成が上記実施形態１と異なる。以下、上記実施形態１と異なる点について主に説明する。
【００５５】
図３に示すように、全ての貫通孔（32）が、近接部（32a）と、離間部（32b）と、移行部（32c）とを有する。全ての貫通孔（32）は、互いに略同じ形状に形成されている。
【００５６】
各貫通孔（32）は、１つの近接部（32a）と、２つの離間部（32b）と、２つの移行部（32c）とを有する。近接部（32a）は、貫通孔（32）における回転子周方向の中央部に形成されている。２つの離間部（32b）は、貫通孔（32）における回転子周方向の両端部に１つずつ形成されている。移行部（32c）は、近接部（32a）と離間部（32b）との間に形成されている。
【００５７】
−実施形態２の効果−
本実施形態の電動機（10）によっても、上記実施形態１と同様の効果が得られる。
【００５８】
《実施形態３》
実施形態３について説明する。本実施形態の電動機（10）は、貫通孔（32）の構成が上記実施形態１と異なる。以下、上記実施形態１と異なる点について主に説明する。
【００５９】
図４に示すように、各磁極（34）における回転子周方向の両端の貫通孔（32）は、２つの近接部（32a）と、１つの離間部（32b）とを有する。２つの近接部（32a）は、当該貫通孔（32）における回転子周方向の両端部に１つずつ形成されている。離間部（32b）は、当該貫通孔（32）における回転子周方向の中央部に形成されている。
【００６０】
−実施形態３の効果−
本実施形態の電動機（10）によっても、上記実施形態１と同様の効果が得られる。
【００６１】
また、本実施形態の電動機（10）は、上記離間部（32b）が、上記貫通孔（32）の回転子周方向の中央部のみにある。したがって、リブ（39）の回転子径方向の長さを短くできるため、電動機（10）の駆動時に生じる遠心力に対する耐力を高めることができる。
【００６２】
《実施形態４》
実施形態４について説明する。本実施形態の電動機（10）は、永久磁石（35）および貫通孔（32）の構成が上記実施形態１と異なる。以下、上記実施形態１と異なる点について主に説明する。
【００６３】
図５に示すように、各磁極（34）の回転子周方向の両端にある永久磁石（35）の第２磁石面（37）の中央部には、回転子内周側に向かって突出する突出部（37a）が形成されている。一方、当該永久磁石（35）が収容される貫通孔（32）の回転子内周側の内面は、回転子周方向に沿って直線状に延びている。当該貫通孔（32）の回転子内周側の内面は、永久磁石（35）の突出部（37a）と対向する部分が近接部（32a）を構成し、近接部（32a）の両側の部分が離間部（32b）を構成している。なお、突出部（37a）は、第２磁石面（37）における任意の位置に形成されていてもよい。
【００６４】
−実施形態４の効果−
本実施形態の電動機（10）によっても、上記実施形態１と同様の効果が得られる。
【００６５】
また、本実施形態の電動機（10）は、上記永久磁石（35）の回転子内周側の外面に、回転子内周側に向かって突出する突出部（37a）が形成されており、上記貫通孔（32）のうち上記突出部（37a）に対向する部分が上記近接部（32a）を構成し、上記貫通孔（32）のうち上記近接部（32a）に隣接する部分が上記離間部（32b）を構成している。
【００６６】
《実施形態5》
実施形態5について説明する。本実施形態の電動機（10）は、実施形態２の構成に加えて、永久磁石（35）を冷却する構成を備えている点で、上述の各実施形態とは異なる。以下、上記実施形態２と異なる点について主に説明する。
【００６７】
本実施形態の電動機（10）を備える遠心型圧縮機（100）について、概略的に説明する。図６に示すように、遠心型圧縮機（100）は、ケーシング（11）と、電動機（10）と、軸部（15）と、インペラ（17）と、第１スペーサ（40a）と、第２スペーサ（40b）と、第１ラジアル磁気軸受（50a）と、第２ラジアル磁気軸受（50b）と、第１スラスト磁気軸受（60a）と、第２スラスト磁気軸受（60b）と、第１タッチダウン軸受（70a）と、第２タッチダウン軸受（70b）と、流入口（18）とを備える。
【００６８】
ケーシング（11）は、遠心型圧縮機（100）を構成するその他の部材を収容する筒状の部材である。ケーシング（11）は、軸方向に延びる。ケーシング（11）の内周壁には、電動機（10）の固定子（20）が固定される。固定子（20）の径方向内側には、回転子（30）が配置される。
【００６９】
回転子（30）の径方向内側には、軸部（15）が同軸状に固定される。軸部（15）は、上述のシャフトに相当する。軸部（15）は、軸方向に延びる。軸部（15）の軸方向両端部は、ケーシング（11）の外方に突出する。軸部（15）の軸方向一方側の端部には、流入口（18）が接続される。軸部（15）の軸方向他方側の端部には、インペラ（17）が固定される。
【００７０】
回転子（30）の軸方向一方側には、第１スペーサ（40a）が位置する。第１スペーサ（40a）は、円筒状の形状を有する。第１スペーサ（40a）の内周面は、軸部（15）の外周面に固定される。回転子（30）の軸方向他方側には、第２スペーサ（40b）が位置する。第２スペーサ（40b）は、円筒状の形状を有する。第２スペーサ（40b）の内周面は、軸部（15）の外周面に固定される。
【００７１】
第１スペーサ（40a）の軸方向一方側には、第１ラジアル磁気軸受（50a）が位置する。第１ラジアル磁気軸受（50a）は、磁気浮上によって、軸部（15）をケーシング（11）に対して回転可能に支持する。第２スペーサ（40b）の軸方向他方側には、第２ラジアル磁気軸受（50b）が位置する。第２ラジアル磁気軸受（50b）は、磁気浮上によって、軸部（15）をケーシング（11）に対して回転可能に支持する。
【００７２】
第１ラジアル磁気軸受（50a）の軸方向一方側には、第１スラスト磁気軸受（60a）が位置する。第１スラスト磁気軸受（60a）は、磁力により、軸部（15）を軸方向他方側に引っ張る。第２ラジアル磁気軸受（50b）の軸方向他方側には、第２スラスト磁気軸受（60b）が位置する。第２スラスト磁気軸受（60b）は、磁力により、軸部（15）を軸方向一方側に引っ張る。第１スラスト磁気軸受（60a）および第２スラスト磁気軸受（60b）の磁力により、軸部（15）のスラスト荷重がキャンセルされる。なお、軸部（15）のスラスト荷重は、インペラ（17）の回転数が上がることに起因して生じる。
【００７３】
第１スラスト磁気軸受（60a）の軸方向一方側には、第１タッチダウン軸受（70a）が位置する。第２スラスト磁気軸受（60b）の軸方向他方側には、第２タッチダウン軸受（70b）が位置する。第１タッチダウン軸受（70a）および第２タッチダウン軸受（70b）は、遠心型圧縮機（100）が何等かのトラブルで制御不能になった場合にのみ、軸受として機能する。これにより、磁気軸受（50, 60）および回転する部材を、保護することができる。
【００７４】
遠心型圧縮機（100）は、図７に示す冷凍装置（200）に搭載される。冷凍装置（200）は、冷媒が充填される冷媒回路（210）を備える。冷媒回路（210）は、遠心型圧縮機（100）、凝縮器（201）、膨張弁（202）、および蒸発器（203）を有する。
【００７５】
遠心型圧縮機（100）は、インペラ（17）が回転することにより、インペラ（17）が収容されるインペラ室に流入した冷媒を圧縮する。遠心型圧縮機（100）で圧縮された冷媒は、凝縮器（201）において空気に放熱して凝縮する。凝縮器（201）で凝縮した冷媒は、膨張弁（202）で減圧される。膨張弁（202）で減圧された冷媒は、蒸発器（203）において空気から吸熱して蒸発する。蒸発器（203）で蒸発した冷媒は、遠心型圧縮機（100）で再び圧縮される。
【００７６】
冷媒回路（210）には、上流側分岐路（204）と下流側分岐路（205）とが接続される。上流側分岐路（204）の一端は、膨張弁（202）と蒸発器（203）の間に接続する。上流側分岐路（204）の他端は、遠心型圧縮機（100）の冷媒流路（300）の流入端に接続する。下流側分岐路（205）の一端は、冷媒流路（300）の流出端に接続する。
【００７７】
蒸発器（203）のすぐ上流の冷媒の一部は、上流側分岐路（204）および遠心型圧縮機（100）内に設けられる冷媒流路（300）を経由して、永久磁石（35）の外周面に供給される。以下ではこの冷媒流路（300）について、図６を参照して詳細に説明する。
【００７８】
冷媒流路（300）は、第１流路（301）と、第２流路（302）と、第３流路（303）と、第４流路（304）とを含む。
【００７９】
第１流路（301）は、軸部（15）に形成される。第１流路（301）は、軸部（15）の軸方向一方側の端面から軸方向他方側に向かって延びる。第１流路（301）の軸方向一端は、流入口（18）に接続される。第１流路の軸方向他端は、軸部（15）の軸方向中途部に位置する。
【００８０】
第２流路（302）は、軸部（15）および第２スペーサ（40b）に跨がって形成される。第２流路（302）は、第１流路（301）の軸方向他端から径方向外側に向かって延びる。第２流路の径方向外側の端部は、第２スペーサ（40b）の内部に位置する。第２流路（302）は、周方向に互いに間隔をあけて、複数（本実施形態では、４つ）設けられる。
【００８１】
第３流路（303）は、第２スペーサ（40b）に複数（本実施形態では、４つ）形成される。第３流路（303）は、第２流路（302）に対応して設けられる。すなわち、第２流路（302）の径方向外側の端部に、第３流路（303）の軸方向他方側の端部が接続される。第３流路（303）は、軸方向に対して傾斜している。具体的には、第３流路（303）は、軸方向一方側に向かうにつれて次第に軸部（15）から離れるように延びている。第３流路（303）の軸方向一方側の端部から軸部（15）までの距離は、永久磁石（35）から軸部（15）までの距離に略等しい。すなわち、第３流路（303）は、貫通孔（32）に接続される。第３流路（303）は、全ての貫通孔（32）と連通していてもよいし、全ての貫通孔（32）のうちの一部だけに連通していてもよい。
【００８２】
第４流路（304）は、第１スペーサ（40a）に複数（本実施形態では、４つ）形成される。第４流路（304）は、貫通孔（32）の軸方向一端から軸方向一方側に向かって延びる。第４流路（304）は、軸方向に対して傾斜している。具体的には、第４流路（304）は、軸方向一方側に向かうにつれて次第に軸部（15）から離れるように延びている。第４流路（304）の軸方向一方側の端部は、第１スペーサ（40a）の外周面に接続される。第４流路（304）の軸方向一方側の端部は、ケーシング（11）の内部と外部とを接続する流出口（19）に、ケーシング（１１）内の空間を介して接続される。
【００８３】
以上のような構成の遠心型圧縮機（100）が駆動するとともに、冷凍装置（200）全体が稼働すると、ケーシング（11）内において、以下のような冷媒の流れが生じる。すなわち、冷媒流路（210）の蒸発器（203）に供給される直前の冷媒の一部は、上流側分岐路（204）および流入口（18）を経由して、第１流路（301）へと流入する。冷媒は、第１流路（301）内を軸方向他方側へ向かって流れて、第１流路（301）から第２流路（302）に流入する。第２流路（302）では、冷媒に遠心力が作用することにより、該冷媒が第２流路（302）内を径方向外側に向かって流れる。その後、第２流路（302）から第３流路（303）へと流入した冷媒は、遠心力の作用を受けながら、第３流路（303）の軸方向一方側の端部へと向かう。その後、冷媒は、第３流路（303）から貫通孔（32）内の隙間（G）へと流れる。冷媒は、貫通孔（32）に沿って、隙間（G）を軸方向一方側に向かって流れる。この過程で、冷媒は永久磁石（35）の熱を奪う。隙間（G）を流れる冷媒は、液の比率が高い気液二相冷媒である。このため、冷媒の蒸発潜熱が、永久磁石（35）の冷却に利用される。貫通孔（32）を通過した後の冷媒は、第４流路（304）および流出口（19）を順に通過した後、下流側分岐路（205）を経由して蒸発器（203）のすぐ下流に供給される。
【００８４】
−実施形態5の効果−
以上に示したとおり、本実施形態の電動機（10）においては、永久磁石（35）の外面と上記貫通孔（32）の内面との間に隙間（G）が形成される。また、該隙間（G）に冷媒を供給する冷媒流路（300）を備えている。一般的に、この種の電動機（10）では、渦電流により回転子（30）が発熱し易い。この熱は、永久磁石（35）に伝導されることにより、永久磁石（35）が減磁してしまう虞がある。本構成によれば、回転子コアの熱抵抗の影響や、回転子コアと永久磁石（35）の間の接触熱抵抗の影響を小さく抑えつつ、永久磁石（35）を冷媒により効率的に冷却することができる。言い換えれば、冷媒が永久磁石（35）に直接的に接することにより該永久磁石（35）を冷却することができるため、冷媒が回転子コア等を介して間接的に永久磁石を冷却する場合と比較して、効率的な冷却が実現する。
【００８５】
また、本実施形態の電動機（10）は、回転子（30）の径方向内側に固定される軸部（15）を備える。冷媒流路（300）は、軸部（15）の内部に形成される第１流路（軸内流路）（301）を含む。これにより、部品点数を少なく抑えつつ、永久磁石（35）と貫通孔（32）との隙間（G）に冷媒を供給して永久磁石（35）を効率的に冷却する構成を実現することができる。
【００８６】
《その他の実施形態》
上記実施形態については、以下のような構成としてもよい。
【００８７】
上記各実施形態では、回転子（30）は、ＢＰＭ型の回転子であるが、例えばコンシクエントポール型の回転子であってもよい。
【００８８】
また、上記各実施形態では、固定子（20）には、駆動用コイルおよび支持用コイルが巻回されているが、両コイルの機能を併せ持つ共用コイルが巻回されていてもよい。
【００８９】
また、上記各実施形態では、電動機（10）は、ベアリングレスモータにより構成されているが、磁気浮上機能を備えない電動機であってもよい。
【００９０】
また、上記第５実施形態では、ケーシング（11）内に流入した低温低圧状態の冷媒は、第１流路（301）を軸方向他方側に向かって流れた後、第２流路３０２および第３流路３０３を通って折り返して、貫通孔（32）を軸方向一方側に向かって流れていた。しかしながら、必ずしもこれに限るものではなく、例えば以下のように構成してもよい。すなわち、第１流路（301）の軸方向他方側の端部を、回転子（30）の軸方向一方側の端面近傍に設ける。第２流路（302）は、この第１流路（301）の軸方向他方側の端部（下流端）から、径方向外側に向かって延びる。第２流路（302）の径方向外側の端部（下流端）は、貫通孔（32）の軸方向一方側の端部に接続される。この構成によっても、冷媒が第１流路（301）、第２流路（302）、および貫通孔（32）の隙間（G）をこの順に流れる。貫通孔（32）内を軸方向他方側へと流れた冷媒は、貫通孔（32）の軸方向他方側の端面において、遠心力に従って径方向外側に流れて、その後、回転子（30）と固定子（20）との隙間に流れる。冷媒は、回転子（30）との固定子（20）との隙間を、軸方向一方側に向かって流れる。
【００９１】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００９２】
以上説明したように、本開示は、電動機について有用である。
【符号の説明】
【００９３】
10  電動機
11  ケーシング
15  軸部
17  インペラ
18  流入口
19  流出口
20  固定子
30  回転子
31  回転子コア
32  貫通孔
32a  近接部
32b  離間部
34  磁極
35  永久磁石
39  リブ
39a  定幅部
210  冷媒回路
300  冷媒流路
301  第１流路（軸内流路）
G  隙間
【図１】
2020167924.tif 000003
【図２】
2020167924.tif 000004
【図３】
2020167924.tif 000005
【図４】
2020167924.tif 000006
【図５】
2020167924.tif 000007
【図６】
2020167924.tif 000008
【図７】
2020167924.tif 000009
【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
固定子（20）と、複数の磁極（34）を有する回転子（30）とを備えた電動機（10）であって、
上記回転子（30）の上記磁極（34）は、回転子周方向に並んで２つ以上の貫通孔（32）が形成された回転子コア（31）と、上記貫通孔（32）ごとに挿入された永久磁石（35）とで構成され、
上記貫通孔（32）の回転子外周側の内面と上記回転子（30）の外周面との間の上記回転子コア（31）の回転子径方向の長さは、上記永久磁石（35）の回転子径方向の長さよりも短く、
上記永久磁石（35）の磁束が流れる磁気回路において、上記永久磁石（35）よりも回転子外周側の磁気抵抗は、上記永久磁石（35）よりも回転子内周側の磁気抵抗よりも小さく、
上記永久磁石（35）および上記貫通孔（32）の形状は、回転子軸方向から見て、上記永久磁石（35）の外面と上記貫通孔（32）の内面との間の隙間（G）の回転子径方向の平均寸法が、回転子内周側よりも回転子外周側で小さくなるように上記永久磁石（35）の回転子径方向の位置を規制する形状になっており、
上記貫通孔（32）の回転子内周側の内面は、上記永久磁石（35）の外面に沿って形成された近接部（32a）と、該近接部（32a）よりも回転子径方向の内側に向かって窪んで上記永久磁石（35）の外面から離れた離間部（32b）とを含む
ことを特徴とする電動機。
【請求項２】
請求項１において、
上記離間部（32b）は、上記貫通孔（32）の回転子周方向の端部のみにある
ことを特徴とする電動機。
【請求項３】
請求項２において、
上記貫通孔（32）を有する上記磁極（34）は、少なくとも２つの上記貫通孔（32）を有し、
上記離間部（32b）は、極性の異なる上記磁極（34）に最も近い上記貫通孔（32）において、該貫通孔（32）における該磁極（34）側の回転子周方向の端部のみにある
ことを特徴とする電動機。
【請求項４】
請求項１において、
上記離間部（32b）は、上記貫通孔（32）の回転子周方向の中央部のみにある
ことを特徴とする電動機。
【請求項５】
請求項１〜４のいずれか１項において、
上記貫通孔（32）を有する上記磁極（34）は、少なくとも３つの上記貫通孔（32）を有し、
上記離間部（32b）は、極性の異なる上記磁極（34）に最も近い上記貫通孔（32）のみ
が含む
ことを特徴とする電動機。
【請求項６】
請求項１〜５のいずれか１項において、
上記回転子コア（31）は、回転子周方向に隣り合う上記貫通孔（32）の間に形成され、一定幅で回転子径方向に延びる部分である定幅部（39a）を含むリブ（39）を有し、
上記永久磁石（35）の回転子周方向の一端または両端の外面は、上記リブ（39）の定幅部（39a）に沿って延びている
ことを特徴とする電動機。
【請求項７】
請求項６において、
前記リブ（39）は、定幅部（39a）よりも周方向の幅が小さい部分を含まない
ことを特徴とする電動機。
【請求項８】
請求項１において、
回転子軸方向から見て、上記永久磁石（35）の外面と上記貫通孔（32）の内面との間に隙間（G）が形成され、
上記隙間（G）に冷媒を供給する冷媒流路（300）を備えている
ことを特徴とする電動機。
【請求項９】
請求項８において、
上記回転子（30）の径方向内側に固定される軸部（15）をさらに備え、
上記冷媒流路（300）は、上記軸部（15）の内部に形成される軸内流路（301）を含む、
ことを特徴とする電動機。
【請求項１０】
請求項１から請求項９までのいずれか１項において、
回転子（20）はＢＰＭ（Buried Permanent Magnet）型の回転子である
ことを特徴とする電動機。
【手続補正２】
【補正対象書類名】明細書
【補正対象項目名】０００６
【補正方法】変更
【補正の内容】
【０００６】
本開示の第１の態様は、固定子（20）と、複数の磁極（34）を有する回転子（30）とを備えた電動機（10）を対象とする。上記回転子（30）の上記磁極（34）は、回転子周方向に並んで２つ以上の貫通孔（32）が形成された回転子コア（31）と、上記貫通孔（32）ごとに挿入された永久磁石（35）とで構成される。上記貫通孔（32）の回転子外周側の内面と上記回転子（30）の外周面との間の上記回転子コア（31）の回転子径方向の長さは、上記永久磁石（35）の回転子径方向の長さよりも短い。上記永久磁石（35）の磁束が流れる磁気回路において、上記永久磁石（35）よりも回転子外周側の磁気抵抗は、上記永久磁石（35）よりも回転子内周側の磁気抵抗よりも小さく、上記永久磁石（35）および上記貫通孔（32）の形状は、回転子軸方向から見て、上記永久磁石（35）の外面と上記貫通孔（32）の内面との間の隙間（G）の回転子径方向の平均寸法が、回転子内周側よりも回転子外周側で小さくなるように上記永久磁石（35）の回転子径方向の位置を規制する形状になっており、上記貫通孔（32）の回転子内周側の内面は、上記永久磁石（35）の外面に沿って形成された近接部（32a）と、該近接部（32a）よりも回転子径方向の内側に向かって窪んで上記永久磁石（35）の外面から離れた離間部（32b）とを含む。
【手続補正３】
【補正対象書類名】明細書
【補正対象項目名】０００７
【補正方法】変更
【補正の内容】
【０００７】
第１の態様では、磁気力と遠心力の両方が、永久磁石（35）を貫通孔の回転子外周側の内面に位置させるように働く。このため、電動機（10）の駆動中に永久磁石（35）が貫通孔（32）内で移動しにくい。したがって、回転子（30）において、永久磁石（35）を適切に保持することができる。また、永久磁石（35）の回転子径方向の位置が上述のように規制されることにより、上記第１の態様における磁気抵抗の所定の大小関係が実現される。また、永久磁石（35）の回転子径方向の位置が規制される。離間部（32b）に対応する隙間（G）は、近接部（32a）に対応する隙間（G）よりも大きい。このため、離間部（32b）によって、永久磁石（35）の回転子内周側の磁気抵抗が大きくなる。

【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本開示の第２の態様は、上記第１の態様において、上記離間部（32b）は、上記貫通孔（32）の回転子周方向の端部のみにあることを特徴とする。
【手続補正９】
【補正対象書類名】明細書
【補正対象項目名】００１３
【補正方法】変更
【補正の内容】
【００１３】
第２の態様では、貫通孔（32）の回転子周方向の端部において、永久磁石（35）と回転子コア（31）との間の距離が大きくなる。永久磁石（35）の回転子内周側の角部の曲率半径を小さくすることができ、電動機（10）のトルクを向上することができる。
【手続補正１０】
【補正対象書類名】明細書
【補正対象項目名】００１４
【補正方法】変更
【補正の内容】
【００１４】
本開示の第３の態様は、上記第２の態様において、上記貫通孔（32）を有する上記磁極（34）は、少なくとも２つの上記貫通孔（32）を有し、上記離間部（32b）は、極性の異なる上記磁極（34）に最も近い上記貫通孔（32）において、該貫通孔（32）における該磁極（34）側の回転子周方向の端部のみにあることを特徴とする。
【手続補正１１】
【補正対象書類名】明細書
【補正対象項目名】００１５
【補正方法】変更
【補正の内容】
【００１５】
第３の態様では、永久磁石（35）が貫通孔（32）の回転子内周側の内面に吸いつく傾向の高い箇所に選択的に離間部（32b）が設けられる。したがって、回転子（30）における磁気抵抗の増大を抑えることができる。
【手続補正１２】
【補正対象書類名】明細書
【補正対象項目名】００１６
【補正方法】変更
【補正の内容】
【００１６】
本開示の第４の態様は、上記第１の態様において、上記離間部（32b）は、上記貫通孔（32）の回転子周方向の中央部のみにあることを特徴とする。
【手続補正１３】
【補正対象書類名】明細書
【補正対象項目名】００１７
【補正方法】変更
【補正の内容】
【００１７】
第４の態様では、リブ（39）の回転子径方向の長さを短くできるため、電動機（10）の駆動時に生じる遠心力に対する耐力を高めることができる。
【手続補正１４】
【補正対象書類名】明細書
【補正対象項目名】００１８
【補正方法】変更
【補正の内容】
【００１８】
本開示の第５の態様は、上記第１〜第４の態様のいずれか１つにおいて、上記貫通孔（32）を有する上記磁極（34）は、少なくとも３つの上記貫通孔（32）を有し、上記離間部（32b）は、極性の異なる上記磁極（34）に最も近い上記貫通孔（32）のみが含むことを特徴とする。
【手続補正１５】
【補正対象書類名】明細書
【補正対象項目名】００１９
【補正方法】変更
【補正の内容】
【００１９】
第５の態様では、永久磁石（35）が貫通孔（32）の回転子内周側の内面に吸いつく傾向の高い箇所のみに離間部（32b）が設けられる。したがって、回転子（30）における磁気抵抗の増大を抑えることができる。
【手続補正１６】
【補正対象書類名】明細書
【補正対象項目名】００２０
【補正方法】変更
【補正の内容】
【００２０】
本開示の第６の態様は、上記第１〜第５の態様のいずれか１つにおいて、上記回転子コア（31）は、回転子周方向に隣り合う上記貫通孔（32）の間に形成され、一定幅で回転子径方向に延びる部分である定幅部（39a）を含むリブ（39）を有し、上記永久磁石（35）の回転子周方向の一端または両端の外面は、上記リブ（39）の定幅部（39a）に沿って延びていることを特徴とする。
本開示の第７の態様は、上記第６の態様において、前記リブ（39）は、定幅部（39a）よりも周方向の幅が小さい部分を含まないことを特徴とする。

【手続補正１７】
【補正対象書類名】明細書
【補正対象項目名】００２１
【補正方法】変更
【補正の内容】
【００２１】
第６の態様では、回転子周方向の広い範囲にわたって永久磁石（35）の回転子径方向の寸法が大きくなる。このため、永久磁石（35）の磁束を増やして電動機（10）のトルクを向上することができる。

【手続補正１８】
【補正対象書類名】明細書
【補正対象項目名】００２２
【補正方法】変更
【補正の内容】
【００２２】
本開示の第８の態様は、第１の態様において、回転子軸方向から見て、上記永久磁石（35）の外面と上記貫通孔（32）の内面との間に隙間（G）が形成され、上記隙間（G）に冷媒を供給する冷媒流路（300）を備えていることを特徴とする。
【手続補正１９】
【補正対象書類名】明細書
【補正対象項目名】００２３
【補正方法】変更
【補正の内容】
【００２３】
一般的に、この種の電動機（10）では、渦電流により回転子（30）が発熱し易い。この熱は、永久磁石（35）に伝導されることにより、永久磁石（35）が減磁してしまう虞がある。第８の態様によれば、回転子コアの熱抵抗の影響や、回転子コアと永久磁石（35）の間の接触熱抵抗の影響を小さく抑えつつ、永久磁石（35）を冷媒により効率的に冷却することができる。言い換えれば、冷媒が永久磁石（35）に直接的に接することにより該永久磁石（35）を冷却することができるため、冷媒が回転子コア等を介して間接的に永久磁石を冷却する場合と比較して、効率的な冷却が実現する。

【手続補正２０】
【補正対象書類名】明細書
【補正対象項目名】００２４
【補正方法】変更
【補正の内容】
【００２４】
本開示の第９の態様は、第８の態様において、上記回転子（30）の径方向内側に固定される軸部（15）をさらに備え、上記冷媒流路（300）は、上記軸部（15）の内部に形成される軸内流路（第１流路）（301）を含むことを特徴とする。
本開示の第１０の態様は、第１〜第９の態様のいずれか１つにおいて、回転子（20）はＢＰＭ（Buried Permanent Magnet）型の回転子であることを特徴とする。

【手続補正２１】
【補正対象書類名】明細書
【補正対象項目名】００２５
【補正方法】変更
【補正の内容】
【００２５】
第９の態様では、部品点数を減らすことができる。